(57)【要約】【課題】受信者側の通信自粛状態を維持しつつ、送信者側の重要な通信を送信することができる通信中継装置及び通信中継方法を提供すること。【解決手段】通信中継装置１では、通信元携帯端末２から通信先携帯端末３への通信を受信した際に、通信先携帯端末３の通信モードを判定し、通信モードが自粛要請モードであると判定した場合に、通信を強制的に送信するか否かを確認する旨の確認情報を通信元携帯端末２に送信する。そして、通信中継装置１は、通信元携帯端末２から、通信を強制的に送信する旨の応答情報を受信した場合に、通信を通信先携帯端末３に送信し、通信を強制的に送信しない旨の応答情報を受信した場合に、通信を通信先携帯端末３に送信しない。【選択図】図２
2011217100.tif 000002
【特許請求の範囲】
【請求項１】
携帯端末間の通信を中継する通信中継装置であって、
前記携帯端末における通信モードが他の携帯端末からの通信の自粛を要請する自粛要請モードであるか否かを示す通信モード情報を格納する通信モード情報格納手段と、
通信元の携帯端末から通信先の携帯端末への通信を受信する通信受信手段と、
前記通信受信手段が通信を受信したときに、前記通信先の携帯端末の通信モードを判定する通信モード判定手段と、
前記通信モード判定手段によって前記通信先の携帯端末の通信モードが自粛要請モードであると判定された場合に、通信を強制的に送信するか否かを確認する旨の確認情報を前記通信元の携帯端末に送信する確認情報送信手段と、
前記確認情報送信手段による前記確認情報の送信に応じて前記通信元の携帯端末から前記確認情報に対する応答情報を受信する応答情報受信手段と、
前記応答情報受信手段が通信を強制的に送信する旨の応答情報を受信した場合に、前記通信受信手段が受信した通信を前記通信先の携帯端末に送信し、前記応答情報受信手段が通信を強制的に送信しない旨の応答情報を受信した場合に、前記通信受信手段が受信した通信を前記通信先の携帯端末に送信しない通信送信手段と、
を備えたことを特徴とする通信中継装置。
【請求項２】
前記通信モード情報格納手段に格納される前記通信モード情報を監視する通信モード監視手段と、
前記通信送信手段によって前記通信受信手段が受信した通信が前記通信先の携帯端末に送信されなかった場合に、当該通信の送信が停止された旨の停止情報を生成する停止情報生成手段と、
前記通信モード監視手段によって前記通信先の携帯端末の自粛要請モードが解除されたと判定された場合に、前記通信先の携帯端末に前記停止情報を送信する停止情報送信手段と、
を更に備えたことを特徴とする請求項１記載の通信中継装置。
【請求項３】
携帯端末間の通信を中継する通信中継装置が、前記携帯端末における通信モードが他の携帯端末からの通信の自粛を要請する自粛要請モードであるか否かを示す通信モード情報を格納する通信モード情報格納ステップと、
前記通信中継装置が、通信元の携帯端末から通信先の携帯端末への通信を受信する通信受信ステップと、
前記通信中継装置が、前記通信受信ステップにおいて通信を受信したときに、前記通信先の携帯端末の通信モードを判定する通信モード判定ステップと、
前記通信中継装置が、前記通信モード判定ステップにおいて前記通信先の携帯端末の通信モードが自粛要請モードであると判定された場合に、通信を強制的に送信するか否かを確認する旨の確認情報を前記通信元の携帯端末に送信する確認情報送信ステップと、
前記通信中継装置が、前記確認情報送信ステップにおける前記確認情報の送信に応じて前記通信元の携帯端末から前記確認情報に対する応答情報を受信する応答情報受信ステップと、
前記通信中継装置が、前記応答情報受信ステップにおいて通信を強制的に送信する旨の応答情報を受信した場合に、前記通信受信ステップにおいて受信した通信を前記通信先の携帯端末に送信し、前記応答情報受信ステップにおいて通信を強制的に送信しない旨の応答情報を受信した場合に、前記通信受信ステップにおいて受信した通信を前記通信先の携帯端末に送信しない通信送信ステップと、
を含む通信中継方法。
【請求項４】
前記通信中継装置が、前記通信モード情報格納ステップにおいて格納される前記通信モード情報を監視する通信モード監視ステップと、
前記通信中継装置が、前記通信送信ステップにおいて前記通信受信ステップおいて受信した通信が前記通信先の携帯端末に送信されなかった場合に、当該通信の送信が停止された旨の停止情報を生成する停止情報生成ステップと、
前記通信中継装置が、前記通信モード監視ステップにおいて前記通信先の携帯端末の自粛要請モードが解除されたと判定された場合に、前記通信先の携帯端末に前記停止情報を送信する停止情報送信ステップと、
を更に含む請求項１記載の通信中継方法。
【発明の詳細な説明】
【技術分野】
【０００１】
本発明は、携帯端末間の通信を中継する通信中継装置及び通信中継方法に関する。
【背景技術】
【０００２】
従来、携帯端末において着信拒否を設定することで、着信を拒否することができる。例えば、特許文献１では、着信拒否時に発信者に対し着信拒否理由を音声メッセージで通知する方法が開示されている。
【先行技術文献】
【特許文献】
【０００３】
【特許文献１】特開平１１−３１７９８２号公報
【発明の概要】
【発明が解決しようとする課題】
【０００４】
しかしながら、上述した従来の方法では、基本的に着信拒否時の着信全てを拒否するものである。したがって、送信者側に重要な用件があったとしても、その事情は考慮されず、着信が拒否されてしまうという問題があった。
【０００５】
本発明は、上記課題の解決のためになされたものであり、受信者側の通信自粛状態を維持しつつ、送信者側の重要な通信を送信することができる通信中継装置及び通信中継方法を提供することを目的とする。
【課題を解決するための手段】
【０００６】
上記課題の解決のため、本発明に係る通信中継装置は、携帯端末間の通信を中継する通信中継装置であって、携帯端末における通信モードが他の携帯端末からの通信の自粛を要請する自粛要請モードであるか否かを示す通信モード情報を格納する通信モード情報格納手段と、通信元の携帯端末から通信先の携帯端末への通信を受信する通信受信手段と、通信受信手段が通信を受信したときに、通信先の携帯端末の通信モードを判定する通信モード判定手段と、通信モード判定手段によって通信先の携帯端末の通信モードが自粛要請モードであると判定された場合に、通信を強制的に送信するか否かを確認する旨の確認情報を通信元の携帯端末に送信する確認情報送信手段と、確認情報送信手段による確認情報の送信に応じて通信元の携帯端末から確認情報に対する応答情報を受信する応答情報受信手段と、応答情報受信手段が通信を強制的に送信する旨の応答情報を受信した場合に、通信受信手段が受信した通信を通信先の携帯端末に送信し、応答情報受信手段が通信を強制的に送信しない旨の応答情報を受信した場合に、通信受信手段が受信した通信を通信先の携帯端末に送信しない通信送信手段と、を備えたことを特徴としている。
【０００７】
また、本発明に係る通信中継方法は、携帯端末間の通信を中継する通信中継装置が、携帯端末における通信モードが他の携帯端末からの通信の自粛を要請する自粛要請モードであるか否かを示す通信モード情報を格納する通信モード情報格納ステップと、通信中継装置が、通信元の携帯端末から通信先の携帯端末への通信を受信する通信受信ステップと、通信中継装置が、通信受信ステップにおいて通信を受信したときに、通信先の携帯端末の通信モードを判定する通信モード判定ステップと、通信中継装置が、通信モード判定ステップにおいて通信先の携帯端末の通信モードが自粛要請モードであると判定された場合に、通信を強制的に送信するか否かを確認する旨の確認情報を通信元の携帯端末に送信する確認情報送信ステップと、通信中継装置が、確認情報送信ステップにおける確認情報の送信に応じて通信元の携帯端末から確認情報に対する応答情報を受信する応答情報受信ステップと、通信中継装置が、応答情報受信ステップにおいて通信を強制的に送信する旨の応答情報を受信した場合に、通信受信ステップにおいて受信した通信を通信先の携帯端末に送信し、応答情報受信ステップにおいて通信を強制的に送信しない旨の応答情報を受信した場合に、通信受信ステップにおいて受信した通信を通信先の携帯端末に送信しない通信送信ステップと、を含むことを特徴としている。
【０００８】
この発明によれば、通信元の携帯端末から通信先の携帯端末への通信を受信した際に、通信先の携帯端末の通信モードを判定し、通信モードが自粛要請モードであると判定した場合に、通信を強制的に送信するか否かを確認する旨の確認情報を通信元の携帯端末に送信する。そして、通信中継装置は、通信元の携帯端末から、通信を強制的に送信する旨の応答情報を受信した場合に、通信を通信先の携帯端末に送信し、通信を強制的に送信しない旨の応答情報を受信した場合に、通信を通信先の携帯端末に送信しない。これにより、通信元の携帯端末のユーザは、特別な操作をすることなく通信を送信するだけで通信先の携帯端末のユーザが自粛要請モードであることを知ることができる。また、通信元の携帯端末のユーザは、通信先の携帯端末のユーザが自粛要請モードであることを知った上で、実際に通信を行うか否かを決定できるので、重要な通信のみを通信先の携帯端末のユーザに送信することができる。一方、通信先の携帯端末のユーザは、通信モードを自粛要請モードにするだけで、重要でない通信に邪魔をされることなく、重要な通信のみを受信することができる。
【０００９】
また、本発明に係る通信中継装置は、通信モード情報格納手段に格納される通信モード情報を監視する通信モード監視手段と、通信送信手段によって通信受信手段が受信した通信が通信先の携帯端末に送信されなかった場合に、当該通信の送信が停止された旨の停止情報を生成する停止情報生成手段と、通信モード監視手段によって通信先の携帯端末の自粛要請モードが解除されたと判定された場合に、通信先の携帯端末に停止情報を送信する停止情報送信手段と、を更に備えることが好ましい。
【００１０】
また、本発明に係る通信中継方法は、通信中継装置が、通信モード情報格納ステップにおいて格納される通信モード情報を監視する通信モード監視ステップと、通信中継装置が、通信送信ステップにおいて通信受信ステップおいて受信した通信が通信先の携帯端末に送信されなかった場合に、当該通信の送信が停止された旨の停止情報を生成する停止情報生成ステップと、通信中継装置が、通信モード監視ステップにおいて通信先の携帯端末の自粛要請モードが解除されたと判定された場合に、通信先の携帯端末に停止情報を送信する停止情報送信ステップと、を更に含むことが好ましい。
【００１１】
この発明によれば、通信元の携帯端末から受信した通信が通信先の携帯端末に送信されなかった場合に、通信の送信が停止された旨の停止情報を生成し、通信先の携帯端末の自粛要請モードが解除されたと判定した場合に、通信先の携帯端末に停止情報を送信する。これにより、通信先の携帯端末のユーザは、自粛要請モードを解除するだけで、停止情報を受信することができ、受信できなかった通信を把握することができる。
【発明の効果】
【００１２】
本発明によれば、受信者側の通信自粛状態を維持しつつ、送信者側の重要な通信を送信することができる通信中継装置及び通信中継方法を提供することができる。
【図面の簡単な説明】
【００１３】
【図１】本発明の一実施形態に係る携帯端末と通信中継装置とのシステム構成を示すシステム構成図である。
【図２】本発明の一実施形態に係る通信中継装置の機能的な構成要素を示すブロック図である。
【図３】通信中継装置１のハードウェア構成図である。
【図４】通信モード情報格納部１１が保持するデータの例を示すテーブルである。
【図５】停止情報のデータの例を示すテーブルである。
【図６】通信中継装置１の動作を示すフローチャート図である。
【図７】通信中継装置１の動作を示すフローチャート図である。
【発明を実施するための形態】
【００１４】
図１は、本発明の一実施形態に係る携帯端末間の通信を中継する通信中継装置のシステム構成を示すシステム構成図である。図１に示す通り、通信中継装置１は、通信元の携帯端末である通信元携帯端末２から、通信先の携帯端末である通信先携帯端末３への通信を中継する。図１では、通信元携帯端末と通信先携帯端末とがそれぞれ１台示されているが、通信中継装置１は、２台以上の通信元携帯端末と２台以上の通信先携帯端末との間の通信を中継してもよい。
【００１５】
なお、本実施形態では、通信中継装置１が中継する通信の具体例として、通話及びメールの２点を用いる。つまり、本実施形態では、通信元携帯端末２から通信先携帯端末３への通信とは、通信元携帯端末２のユーザが通信先携帯端末３の電話番号に電話をかけて通話すること、または、通信元携帯端末２のユーザが通信先携帯端末３のメールアドレスにメールを送信することを示す。なお、通信中継装置１が中継する通信は、通話及びメールの２点に限定されるものではなく、２端末間の通信であれば何でもよい。
【００１６】
図２は、本発明に係る携帯端末の一実施形態を示す概要図である。通信中継装置１は、図２に示すように、機能的な構成要素として、通信モード情報格納部１１（通信モード情報格納手段）、通信受信部１２（通信受信手段）、通信モード判定部１３（通信モード判定手段）、確認情報送信部１４（確認情報送信手段）、応答情報受信部１５（応答情報受信手段）、通信送信部１６（通信送信手段）、通信モード監視部１７（通信モード監視手段）、停止情報生成部１８（停止情報生成手段）、および停止情報送信部１９（停止情報送信手段）を備えている。
【００１７】
通信中継装置１は、ＣＰＵ等のハードウェアから構成されているものである。図３は、通信中継装置１のハードウェア構成図である。図２に示される通信中継装置１は、物理的には、図３に示すように、ＣＰＵ５１、主記憶装置であるＲＡＭ５２及びＲＯＭ５３、入力デバイスである数字キー及びタッチパネル等の入力装置５４、ディスプレイ及びタッチパネル等の出力装置５５、ネットワークカード等のデータ送受信デバイスである通信モジュール５６、ハードディスク等の補助記憶装置５７等を含むコンピュータシステムとして構成されている。図２に示す各構成要素の機能は、図３に示すＣＰＵ５１、ＲＡＭ５２等のハードウェア上に所定のコンピュータソフトウェアを読み込ませることにより、ＣＰＵ５１の制御のもとで入力装置５４、出力装置５５、通信モジュール５６を動作させるとともに、ＲＡＭ５２や補助記憶装置５７におけるデータの読み出し及び書き込みを行うことで実現される。
【００１８】
以下、図２に示す構成要素に基づいて、通信中継装置１の各構成要素を説明する。
【００１９】
通信モード情報格納部１１は、通信先携帯端末３における通信モードが通信元携帯端末２を含む他の携帯端末からの通信の自粛を要請する自粛要請モードであるか否かを示す通信モード情報を格納する。
【００２０】
自粛要請モードを設定して通信の自粛を要請する場面としては、例えば、通信先携帯端末３のユーザが、車を運転している場面、睡眠中の場面、及び作業に集中したい場面などが挙げられる。
【００２１】
図４に示すテーブルは、通信モード情報格納部１１により格納された通信モード情報の一例である。図４に示す通り、各通信モード情報は、通信先携帯端末の識別情報である通信先識別情報と自粛要請モードとから構成される。通信先識別情報は、自粛要請モードを設定する通話先携帯端末を示すものである。図４では、通信先識別情報として、携帯端末の電話番号や携帯端末のメールアドレスなどが含まれている。また、自粛要請モードとして、ＯＮとＯＦＦが含まれている。ＯＮは自粛要請モードであること、ＯＦＦは自粛要請モードでないことを示す。
【００２２】
例えば、通信先携帯端末３のユーザが通信元携帯端末２に対して電話の自粛を要請したい場合は、通信先識別情報が通信先携帯端末３の電話番号であり、自粛要請モードがＯＮである通信モード情報を、通信モード情報格納部１１により格納させる。また、例えば、通信先携帯端末３のユーザが通信元携帯端末２に対してメール送信の自粛を要請したい場合は、通信先識別情報が通信先携帯端末３のメールアドレスであり、自粛要請モードがＯＮである通信モード情報を、通信モード情報格納部１１により格納させる。図４のテーブルの１行目は、電話番号が０９０−ＸＸＸＸ−ＹＹＹＹである通信先携帯端末３は、通話に関して自粛要請モードであることを示す。
【００２３】
通信受信部１２は、通信元携帯端末２から通信先携帯端末３への通信を受信する。例えば、通信元携帯端末２のユーザが通信先携帯端末３の電話番号に電話をかけて通話をしようとした際、通信受信部１２は、通信元携帯端末２からの通話に関する発信信号を受信する。また、例えば、通信元携帯端末２のユーザが通信先携帯端末３のメールアドレスにメールを送信しようとした際、通信受信部１２は、通信元携帯端末２からのメールに関する発信信号を受信する。
【００２４】
通信モード判定部１３は、通信受信部１２が通信を受信したときに、通信先携帯端末３の通信モードを判定する。すなわち、通信モード判定部１３は、通信受信部１２が通信を受信したときに、通信先携帯端末３の通信モードが自粛要請モードであるか否かを判定する。
【００２５】
具体的には、通信モード判定部１３は、通信受信部１２が通信元携帯端末２からの通信を受信したときに、まず、通信に含まれている通信先の通信先携帯端末３の識別情報である通信先識別情報を取得する。次に、通信モード判定部１３は、取得した通信先識別情報に基づいて、通信モード情報格納部１１により格納された通信モード情報から通信先携帯端末３の自粛要請モードを抽出する。通信モード判定部１３は、抽出した自粛要請モードがＯＮであれば通信先携帯端末３の通信モードが自粛要請モードであると判定する。通信モード判定部１３は、抽出した自粛要請モードがＯＦＦであれば通信先携帯端末３の通信モードが自粛要請モードでないと判定する。
【００２６】
確認情報送信部１４は、通信モード判定部１３によって通信先携帯端末３の通信モードが自粛要請モードであると判定された場合に、通信を強制的に送信するか否かを確認する旨の確認情報を通信元携帯端末２に送信する。例えば、通信が通話であった場合、確認情報送信部１４は、電話をかけた通信元携帯端末２のユーザに対して、「ただいま電話をかけようとしている相手は電話に出づらい状況です。それでも電話をかける場合は１を、電話をかけない場合は２を押して下さい」という音声案内アナウンスを送信する。
【００２７】
また、例えば、通信がメールであった場合、確認情報送信部１４は、メールを送信した通信元携帯端末２のユーザに対して、「メールを送信しようとしている相手は当分の間、メールを読めない状況です。それでもメールを送信する場合は下記『それでもメールを送信する』リンクを、メールを送信しない場合は下記『メールを送信しない』リンクを押してください」という内容の案内メールを送信する。上述の音声案内アナウンスまたは案内メールが確認情報の具体例である。
【００２８】
応答情報受信部１５は、確認情報送信部１４による確認情報の送信に応じて通信元携帯端末２から確認情報に対する応答情報を受信する。例えば、通信が通話であった場合、上述の音声案内アナウンスを聞いた通信元携帯端末２のユーザが、通信元携帯端末２の数字キーのうち１あるいは２を押し、押した数字キー情報が通信元携帯端末２により送信され、応答情報受信部１５が受信する。また、例えば、通信がメールであった場合、上述の案内メールを読んだ通信元携帯端末２のユーザが、案内メール内の『それでもメールを送信する』リンクあるいは『メールを送信しない』リンクを押し、押したリンク情報が通信元携帯端末２により送信され、応答情報受信部１５が受信する。上述の数字キー情報またはリンク情報が応答情報の具体例である。
【００２９】
通信送信部１６は、応答情報受信部１５が通信を強制的に送信する旨の応答情報を受信した場合に、通信受信部１２が受信した通信を通信先携帯端末３に送信し、応答情報受信部１５が通信を強制的に送信しない旨の応答情報を受信した場合に、通信受信部１２が受信した通信を通信先携帯端末３に送信しない。
【００３０】
例えば、通信が通話であった場合、上述で挙げてきた例において、応答情報受信部１５が通信元携帯端末２から数字キー「１」の情報を受信した場合、つまり、「それでも電話をかける」旨を通信元携帯端末２のユーザが伝えてきた場合、通信送信部１６は、通信受信部１２が受信した通話に関する発信信号を通信先携帯端末３に送信し、通信先携帯端末３に対して電話がかかる。また、例えば、応答情報受信部１５が通信元携帯端末２から数字キー「２」の情報を受信した場合、つまり、「電話をかけない」旨を通信元携帯端末２のユーザが伝えてきた場合、通信送信部１６は、通信受信部１２が受信した通話に関する発信信号を通信先携帯端末３に送信せず、通信先携帯端末３に対して電話はかからない。
【００３１】
例えば、通信がメールであった場合、上述で挙げてきた例において、応答情報受信部１５が通信元携帯端末２から『それでもメールを送信する』リンクのリンク情報を受信した場合、つまり、「それでもメールを送信する」旨を通信元携帯端末２のユーザが伝えてきた場合、通信送信部１６は、通信受信部１２が受信したメールに関する発信信号を通信先携帯端末３に送信し、通信先携帯端末３に対してメールが送信される。また、例えば、応答情報受信部１５が通信元携帯端末２から『メールを送信しない』リンクのリンク情報を受信した場合、つまり、「メールを送信しない」旨を通信元携帯端末２のユーザが伝えてきた場合、通信送信部１６は、通信受信部１２が受信したメールに関する発信信号を通信先携帯端末３に送信せず、通信先携帯端末３に対してメールは送信されない。
【００３２】
通信モード監視部１７は、通信モード情報格納部１１に格納される通信モード情報を監視する。具体的には、通信モード監視部１７は、通信モード情報格納部１１に格納されている通信モード情報のうち自粛要請モードを監視し、自粛要請モードがＯＦＦからＯＮに設定変更されたこと、つまり、自粛要請モードが解除されたことを判定する。通信モード監視部１７は、自粛要請モードが解除された際、通信モード情報の通信先識別情報から、自粛要請モードが解除された通信先携帯端末３を特定する。
【００３３】
停止情報生成部１８は、通信送信部１６によって通信受信部１２が受信した通信が通信先携帯端末３に送信されなかった場合に、当該通信の送信が停止された旨の停止情報を生成する。停止情報の具体例を図５に示す。図５のテーブルに示す通り、停止情報は、通信先携帯端末３の識別情報である通信先識別情報と、通信元携帯端末２の識別情報である通信元識別情報と、通信受信部１２が通信を受信した日時である連絡日時とから構成される。例えば、図５のテーブルの２行目は、電話番号が０９０−ＺＺＹＹ−ＸＸＹＹである通信元携帯端末２が、２０１０年２月２２日９時１０分に、電話番号が０９０−ＸＸＸＸ−ＹＹＹＹである通信先携帯端末３に電話をかけようとしたことを示す。
【００３４】
停止情報送信部１９は、通信モード監視部１７によって通信先携帯端末３の自粛要請モードが解除されたと判定された場合に、通信先携帯端末３に停止情報を送信する。上述したように、通信モード監視部１７は、自粛要請モードが解除されたことを判定し、自粛要請モードが解除されたと判定した際、自粛要請モードが解除された通信先携帯端末３を特定する。停止情報送信部１９は、特定された通信先携帯端末３に対して、停止情報生成部１８により生成された停止情報を送信する。なお、停止情報送信部１９は、停止情報を、ショートメッセージサービスにおけるショートメッセージとして通信先携帯端末３に送信してもよい。
【００３５】
続いて、このように構成された携帯端末１の動作について説明する。図６は、通信中継装置１の動作を示すフローチャートである。
【００３６】
事前に、通信モード情報格納部１１により、通信モード情報が格納されている（通信モード情報格納ステップ）ものとする。まず、通信受信部１２が、通信元携帯端末２から通信先携帯端末３への通信を受信する（Ｓ１、通信受信ステップ）。次に、通信モード判定部１３が、通信先携帯端末３の通信モードを判定する。すなわち、自粛要請モードがＯＮになっているか否かを判定する（Ｓ２、通信モード判定ステップ）。
【００３７】
Ｓ２にて、通信モード判定部１３により自粛要請モードがＯＮになっていると判定された場合、確認情報送信部１４が、確認情報を通信元携帯端末２に送信する（Ｓ３、確認情報送信ステップ）。次に、応答情報受信部１５が通信元携帯端末２から応答情報を受信する（Ｓ４、応答情報受信ステップ）。次に、通信送信部１６が、Ｓ４にて受信した応答情報に基づいて、Ｓ１にて受信した通信を強制的に通信先携帯端末３に送信するか否かを判定する（Ｓ５）。
【００３８】
Ｓ５にて、通信送信部１６が、強制的に送信すると判定した場合、通信送信部１６が、Ｓ１にて受信した通信を強制的に通信先携帯端末３に送信する（Ｓ６、通信送信ステップ）。Ｓ５にて、通信送信部１６が、送信しないと判定した場合、通信送信部１６が、Ｓ１にて受信した通信を強制的に通信先携帯端末３に送信せず（通信送信ステップ）、停止情報生成部１８が、停止情報を生成する（Ｓ７、停止情報生成ステップ）。Ｓ２にて、通信モード判定部１３により自粛要請モードがＯＦＦになっていると判定された場合、通信受信部１２が通信元携帯端末２から受信した通信を通信先携帯端末３に送信する。
【００３９】
なお、Ｓ４にて、応答情報受信部１５が通信元携帯端末２から応答情報を所定の時間の間に受信しなかった場合、Ｓ７に進み、停止情報生成部１８が、通信元携帯端末２が通信先携帯端末３に送信しようとしていた通信に関する停止情報を作成してもよい。
【００４０】
図７は、通信中継装置１の通信モード監視部１７による動作を示すフローチャートである。通信モード監視部１７は、図７に示す動作を、例えば５分おきなど、定期的に行う。
【００４１】
まず、通信モード監視部１７が、通信モード情報を監視し、自粛要請モードが解除されているか否かを判定する（Ｓ２１、通信モード監視ステップ）。Ｓ２１にて自粛要請モードが解除されていると判定された場合、自粛要請モードが解除された通信先携帯端末３に対して、停止情報送信部１９が、停止情報を送信する（Ｓ２２、停止情報送信ステップ）。Ｓ２１にて自粛要請モードが解除されていないと判定された場合、処理を終了する。
【００４２】
以上説明したように、通信中継装置１では、通信元携帯端末２から通信先携帯端末３への通信を受信した際に、通信先携帯端末３の通信モードを判定し、通信モードが自粛要請モードであると判定した場合に、通信を強制的に送信するか否かを確認する旨の確認情報を通信元携帯端末２に送信する。そして、通信中継装置１は、通信元携帯端末２から、通信を強制的に送信する旨の応答情報を受信した場合に、通信を通信先携帯端末３に送信し、通信を強制的に送信しない旨の応答情報を受信した場合に、通信を通信先携帯端末３に送信しない。これにより、通信元携帯端末２のユーザは、特別な操作をすることなく通信を送信するだけで通信先携帯端末３のユーザが自粛要請モードであることを知ることができる。また、通信元携帯端末２のユーザは、通信先携帯端末３のユーザが自粛要請モードであることを知った上で、実際に通信を行うか否かを決定できるので、重要な通信のみを通信先携帯端末３のユーザに送信することができる。一方、通信先携帯端末３のユーザは、通信モードを自粛要請モードにするだけで、重要でない通信に邪魔をされることなく、重要な通信のみを受信することができる。
【００４３】
また、通信中継装置１では、通信元携帯端末２から受信した通信が通信先携帯端末３に送信されなかった場合に、通信の送信が停止された旨の停止情報を生成し、通信先携帯端末３の自粛要請モードが解除されたと判定した場合に、通信先携帯端末３に停止情報を送信する。これにより、通信先携帯端末３のユーザは、自粛要請モードを解除するだけで、停止情報を受信することができ、受信できなかった通信を把握することができる。
【符号の説明】
【００４４】
１…通信中継装置、２…通信元携帯端末、３…通信先携帯端末、１１…通信モード情報格納部、１２…通信受信部、１３…通信モード判定部、１４…確認情報送信部、１５…応答情報受信部、１６…通信送信部、１７…通信モード監視部、１８…停止情報生成部、１９…停止情報送信部。
【図１】
2011217100.tif 000003
【図２】
2011217100.tif 000004
【図３】
2011217100.tif 000005
【図４】
2011217100.tif 000006
【図５】
2011217100.tif 000007
【図６】
2011217100.tif 000008
【図７】
2011217100.tif 000009